【手続補正書】
【提出日】令和2年3月12日(2020.3.12)
【手続補正１】
【補正対象書類名】明細書
【補正対象項目名】００７１
【補正方法】変更
【補正の内容】
【００７１】
前述の詳細な説明及び実施例は、理解しやすいように示したものにすぎない。不必要な限定がそこから解釈されるべきではない。本開示の範囲から逸脱することなく、記載された実施形態において多くの変更を行うことができることが、当業者には明白であろう。上記の実施形態のいずれかに関して記載されたいずれかの特徴又は特性は、個々に、又は他のいずれかの特徴又は特性と組み合わせて組み込むことができ、単に明確性のために上記の順番及び組み合わせで提示される。それゆえ、本開示の範囲は、本明細書において説明される詳細及び構造のみに限定されるべきではない。更に、特徴は、本明細書において特定の組み合わせで機能するように説明され、及び／又は当初そのように特許請求されることがあるが、特許請求された組み合わせからの１つ以上の特徴は、場合によっては、組み合わせから削除されてもよく、特許請求された組み合わせは、部分的組み合わせ又は部分的組み合わせの変形の対象とされてもよい。
以下、例示的実施形態について述べる。
［１］
着用者のための呼吸可能空気領域を画定するマスク本体と、
第１の弾性シールと、
前記第１の弾性シールと密封係合した前記マスク本体に取り付けられるように構成された第１の呼吸用空気源構成要素と、
開構成と前記第１の呼吸用空気源構成要素を通した前記呼吸可能空気領域への流体連通が阻止される閉構成との間を操作可能な弁アセンブリと、
を備え、
前記弁アセンブリは前記閉構成において前記第１の弾性シールと密封係合している、呼吸保護装置。
［２］
前記弁アセンブリがアクチュエータ及び第１のシール面を含み、前記第１のシール面は、前記弁アセンブリが前記閉構成になっている時には、前記第１の弾性シールと密封係合している、［１］に記載の呼吸保護装置。
［３］
前記アクチュエータが、前記開構成と前記閉構成との間で長手方向軸に沿って直線運動するように構成されている、［２］に記載の呼吸保護装置。
［４］
前記シール面が、前記開構成と前記閉構成との間で直線運動するように構成されている、［２］に記載の呼吸保護装置。
［５］
前記シール面が、前記開構成と前記閉構成との間で枢動するように構成されている、［２］に記載の呼吸保護装置。
［６］
前記シール面が、前記弁アセンブリが前記閉構成になっている時には前記弾性シールの内部に向かって延びる突起を含む、［２］に記載の呼吸保護装置。
［７］
前記弾性シールが、第１の端部領域及び第２の端部領域、外面、並びに前記第１の呼吸用空気源構成要素を受け入れるように構成された通路を画定する内面を含む、［１］に記載の呼吸保護装置。
［８］
前記呼吸用空気源構成要素が、前記マスク本体に取り付けられると、前記弾性シールの前記内面と密封係合している、［７］に記載の呼吸保護装置。
［９］
前記弾性シールの前記外面の少なくとも一部分が、前記弁アセンブリが前記開構成になっている時には、硬質な構成要素と接触していない、［７］に記載の呼吸保護装置。
［１０］
前記弾性シールの前記第２の端部領域が、浮動型の端部である、［７］に記載の呼吸保護装置。
［１１］
前記弁アセンブリの第１のシール面が、前記弁アセンブリが前記閉構成になっている時には、前記弾性シールの前記第２の端部領域と密封係合している、［７］に記載の呼吸保護装置。
［１２］
前記弾性シールの前記第２の端部領域が、内向きに曲がった端部を含む、［１１］に記載の呼吸保護装置。
［１３］
前記閉構成において、前記弁アセンブリの前記第１のシール面が、前記内向きに曲がった端部において前記外面と接触している、［１１］に記載の呼吸保護装置。
［１４］
前記閉構成において、前記弾性シールの前記第２の端部領域が前記弁アセンブリの第１のシール面によって締め付けられて閉じている、［７］に記載の呼吸保護装置。
［１５］
前記弾性シールが前記第２の端部領域において、減少した材料厚さを有し、前記第２の端部領域が、空気が前記第１の端部領域から前記第２の端部領域に向かって流れる際には、開放するように構成されており、前記第２の端部領域から前記第１の端部領域へ向かう空気流を阻止するために、閉鎖するように構成されている、［７］に記載の呼吸保護装置。
［１６］
前記マスク本体に取り付けられるように構成された第２の呼吸用空気源構成要素を備える、［１］に記載の呼吸保護装置。
［１７］
第２の弾性シールと、前記マスク本体に取り付けられるように構成された第２の呼吸用空気源構成要素とを備え、前記第２の呼吸用空気源構成要素は、前記マスク本体に取り付けられると、前記第２の弾性シールと密封係合しており、前記弁アセンブリが前記閉構成において前記第２の弾性シールと密封係合している、［１６］に記載の呼吸保護装置。
［１８］
着用者のための呼吸可能空気領域を画定し、第１の受け部を有するマスク本体であって、前記第１の受け部は、第１の端部領域及び第２の端部領域を有し、第１の呼吸用空気源構成要素を少なくとも部分的に受け入れるように構成された第１の通路を画定する第１の弾性シールを含む、マスク本体と、
開構成と、前記第１の呼吸用空気源構成要素と前記呼吸可能空気領域との間の流体連通が遮断される閉構成との間を操作可能な弁アセンブリと、
を備え、
前記弁アセンブリは、前記弁アセンブリが、前記呼吸用空気源構成要素と前記呼吸可能空気領域との間の流体連通を阻止するための前記閉鎖位置にある時には、前記弾性シールの前記第２の端部領域と係合しており、前記弾性シールは、前記弾性シールの前記第１の端部領域において前記呼吸用空気源構成要素と密封係合するように構成されている、呼吸保護装置。
［１９］
前記第１の受け部が前記マスク本体と一体形成されている、［１８］に記載の呼吸保護装置。
［２０］
前記第１の受け部が、前記マスク本体によって画定された開口部内に位置している、［１８］に記載の呼吸保護装置。
［２１］
前記弾性シールの前記第２の端部領域が、内向きに曲がった端部を含む、［１８］に記載の呼吸保護装置。
［２２］
前記弾性シールが、前記弾性シールを貫く前記通路を画定する内面、及び外面を含む、［１８］に記載の呼吸保護装置。
［２３］
前記外面が、前記弁アセンブリが前記開放位置にある時には、硬質な構成要素と接触していない、［２２］に記載の呼吸保護装置。
［２４］
前記第２の端部領域が、浮動型の端部である、［２２］に記載の呼吸保護装置。
［２５］
前記弁アセンブリが前記閉構成において前記弾性シールの前記外面の一部分と係合している、［２２］に記載の呼吸保護装置。
［２６］
前記マスク本体が第２の受け部を含み、前記第２の受け部は、第１の端部領域及び第２の端部領域を有し、第２の呼吸用空気源構成要素を受け入れるように構成された第２の通路を画定する第２の弾性シールを含む、［１８］に記載の呼吸保護装置。
［２７］
前記弁アセンブリが、前記第２の呼吸用空気源構成要素と前記呼吸可能空気領域との間の流体連通を阻止するための前記閉鎖位置にある時には、前記第２の弾性シールの前記第２の端部領域と係合しており、前記弾性シールが、前記弾性シールの前記第１の端部領域において前記第２の呼吸用空気源構成要素と密封係合するように構成されている、［２６］に記載の呼吸保護装置。
［２８］
前記弁アセンブリが前記開構成の方へ付勢されている、［１８］に記載の呼吸保護装置。
［２９］
前記アクチュエータがボタンを含み、前記ボタンは、前記弁アセンブリが前記閉構成になっている時には、押下されている、［１８］に記載の呼吸保護装置。
［３０］
呼吸保護装置を操作する方法であって、
弁アセンブリを、マスク本体に取り付けられた呼吸用空気源構成要素が弾性シールと密封係合し、前記マスク本体によって画定された呼吸可能空気領域と流体連通している、開構成から、前記呼吸用空気源構成要素を通した流体連通が閉鎖されている閉構成へ操作する工程を含み、
前記弁アセンブリを閉構成へ操作することが前記弁アセンブリと前記弾性シールとの間の密封係合を生じさせる、方法。
［３１］
前記弁アセンブリが、前記閉構成において前記弾性シールと係合するシール面を含む、［３０］に記載の方法。
［３２］
前記弁アセンブリを閉構成へ操作することが、前記弾性シールによって画定された通路を通した空気流を阻止するよう、前記弾性シールの端部領域を締め付けることを含む、［３０］に記載の方法。
［３３］
着用者のための呼吸可能空気領域を画定し、第１の受け部を有するマスク本体であって、前記第１の受け部は、第１の端部領域及び第２の端部領域を有し、第１の呼吸用空気源構成要素を少なくとも部分的に受け入れるように構成された第１の通路を画定する第１の弾性シールを含む、マスク本体を備え、
前記弾性シールは、前記弾性シールの前記第１の端部領域において前記呼吸用空気源構成要素と密封係合するように構成されており、前記第２の端部領域は、前記第２の端部領域から前記第１の端部領域へ向かう空気流を阻止するために、閉鎖するように構成されている、呼吸保護装置。
［３４］
前記弾性シールが、空気が前記第１の端部領域から前記第２の端部領域へ流れる際には、開放するように構成されている、［３３］に記載の呼吸保護装置。
［３５］
前記弾性シールの前記第２の端部領域が、減少した材料厚さを有する、［３３］に記載の呼吸保護装置。
［３６］
開構成と、前記第１の呼吸用空気源構成要素と前記呼吸可能空気領域との間の流体連通が遮断される閉構成との間を操作可能な弁アセンブリを備える、［３３］に記載の呼吸保護装置。
［３７］
前記弁アセンブリが、前記呼吸用空気源構成要素と前記呼吸可能空気領域との間の流体連通を阻止するための前記閉鎖位置にある時には、前記弾性シールの前記第２の端部領域と係合している、［３３］に記載の呼吸保護装置。
【手続補正２】
【補正対象書類名】特許請求の範囲
【補正対象項目名】全文
【補正方法】変更
【補正の内容】
【特許請求の範囲】
【請求項１】
着用者のための呼吸可能空気領域を画定するマスク本体と、
第１の弾性シールと、
前記第１の弾性シールと密封係合した前記マスク本体に取り付けられるように構成された第１の呼吸用空気源構成要素と、
開構成と前記第１の呼吸用空気源構成要素を通した前記呼吸可能空気領域への流体連通が阻止される閉構成との間を操作可能な弁アセンブリと、
を備え、
前記弁アセンブリは前記閉構成において前記第１の弾性シールと密封係合している、呼吸保護装置。
【請求項２】
着用者のための呼吸可能空気領域を画定し、第１の受け部を有するマスク本体であって、前記第１の受け部は、第１の端部領域及び第２の端部領域を有し、第１の呼吸用空気源構成要素を少なくとも部分的に受け入れるように構成された第１の通路を画定する第１の弾性シールを含む、マスク本体と、
開構成と、前記第１の呼吸用空気源構成要素と前記呼吸可能空気領域との間の流体連通が遮断される閉構成との間を操作可能な弁アセンブリと、
を備え、
前記弁アセンブリは、前記弁アセンブリが、前記呼吸用空気源構成要素と前記呼吸可能空気領域との間の流体連通を阻止するための前記閉鎖位置にある時には、前記弾性シールの前記第２の端部領域と係合しており、前記弾性シールは、前記弾性シールの前記第１の端部領域において前記呼吸用空気源構成要素と密封係合するように構成されている、呼吸保護装置。
【請求項３】
前記マスク本体が第２の受け部を含み、前記第２の受け部は、第１の端部領域及び第２の端部領域を有し、第２の呼吸用空気源構成要素を受け入れるように構成された第２の通路を画定する第２の弾性シールを含み、前記弁アセンブリが、前記第２の呼吸用空気源構成要素と前記呼吸可能空気領域との間の流体連通を阻止するための前記閉鎖位置にある時には、前記第２の弾性シールの前記第２の端部領域と係合しており、前記弾性シールが、前記弾性シールの前記第１の端部領域において前記第２の呼吸用空気源構成要素と密封係合するように構成されている、請求項２に記載の呼吸保護装置。
【請求項４】
呼吸保護装置を操作する方法であって、
弁アセンブリを、マスク本体に取り付けられた呼吸用空気源構成要素が弾性シールと密封係合し、前記マスク本体によって画定された呼吸可能空気領域と流体連通している、開構成から、前記呼吸用空気源構成要素を通した流体連通が閉鎖されている閉構成へ操作する工程を含み、
前記弁アセンブリを閉構成へ操作することが前記弁アセンブリと前記弾性シールとの間の密封係合を生じさせる、方法。
【請求項５】
着用者のための呼吸可能空気領域を画定し、第１の受け部を有するマスク本体であって、前記第１の受け部は、第１の端部領域及び第２の端部領域を有し、第１の呼吸用空気源構成要素を少なくとも部分的に受け入れるように構成された第１の通路を画定する第１の弾性シールを含む、マスク本体を備え、
前記弾性シールは、前記弾性シールの前記第１の端部領域において前記呼吸用空気源構成要素と密封係合するように構成されており、前記第２の端部領域は、前記第２の端部領域から前記第１の端部領域へ向かう空気流を阻止するために、閉鎖するように構成されている、呼吸保護装置。